(57)【要約】      （修正有）【課題】袋部の横断面方向に沿って袋部を収縮させる収納構造を有し、必要時には、上記収納構造により収縮させることにより袋部を収縮前とは全く別の形態に変形させ、収納物を収納して使用することができ、未使用時にも嵩張らず、容易に持ち運ぶことができ、かつ趣向性に富むバッグを提供することにある。【解決手段】上端部１１が開口し、側面部２９と底面部１３とを有し、折り畳み可能に形成された袋部１４を備えたバッグ１０であって、下端部１５には上記袋部１４の横断面方向に沿って上記袋部１４を収縮させうる収縮構造１６が設けられ、上記側面部２９を折り畳んで上記底面部１３に配置し、上記収縮構造１６により上記袋部１４の横断面方向に沿って収縮させることにより袋部１４を変形させ、収納物を収納して使用しうる。【選択図】図１
2007089999.tif 000002
【特許請求の範囲】
【請求項１】
上端部が開口し、側面部と底面部とを有し、折り畳み可能に形成された袋部を備えたバッグであって、
下端部には上記袋部の横断面方向に沿って上記袋部を収縮させうる収縮構造が設けられ、
必要時には、上記側面部を折り畳んで上記底面部に配置し、上記収縮構造により上記袋部の横断面方向に沿って収縮させることにより袋部を変形させ、収納物を収納して使用しうることを特徴とするバッグ。
【請求項２】
上記収縮構造は、底面部の周縁部に設けられていることを特徴とする請求項１記載のバッグ。
【請求項３】
上記収縮構造は、底面部の周縁部に配置された紐と、この紐が内部に挿通される挿通部とにより構成されていることを特徴とする請求項１乃至２記載のバッグ。
【請求項４】
上記袋部は側面略長方形状に形成され、
上記紐は、上記底面部の幅方向両側面部に沿って配置され、上記紐の端部は、袋部両側方に突出して配置され、上記紐を両側部から引張することにより上記袋部を変形させることを特徴とする請求項３記載のバッグ。
【請求項５】
上記底面部は、底面部本体の周縁部において上記側面部の下端部が下方へ延設されて延設部が形成され、上記延設部に上記挿通部が形成されていることを特徴とする請求項４記載のバッグ。
【請求項６】
上記袋部は、上記底面部が外方側になると共に上記側面部が内方側になるように、長さ方向に沿って上記挿通部が幅方向端部に配置されるように細長長方形状に折り畳まれ、
上記紐を上記袋部の両側方から引張することにより、上記長方形状に折り畳まれた袋部の上記挿通部側を蛇腹状に収縮させることにより、幅方向反対側を円弧状を有する形状に形成することを特徴とする請求項４記載のバッグ。
【請求項７】
上記袋部は、上記底面部が外方側になると共に上記側面部が内方側になるように、長さ方向に沿って上記挿通部が幅方向端部に配置されるように細長長方形状に折り畳まれ、
上記紐を上記袋部の両側方から引張することにより、上記長方形状に折り畳まれた袋部が側面略円形状に変形して折り畳まれることを特徴とする請求項４記載のバッグ。
【発明の詳細な説明】
【技術分野】
【０００１】
本発明は、折り畳み可能に形成された袋部を備えたバッグに係り、特に袋部の横断面方向に沿って袋部を収縮させる収納構造を有し、上記収納構造により収縮させることにより袋部を変形させ、収納物を収納して使用することができるバッグに関する。
【背景技術】
【０００２】
従来から、袋本体部に設けられた紐を引くことにより、使用する者の好みに応じて異なった容量及び形状に変形使用することのできるバッグが使用されている（特許文献１、特許文献２、特許文献３）。
【０００３】
また、底面部の周囲にファスナーを設け、上記底面部により二つ折りにして小型化可能に形成されたバッグ等が使用されている（特許文献４、特許文献５、特許文献６）。
【特許文献１】実開昭４８−７４１３号
【特許文献２】実開昭６０−４２１１７号
【特許文献３】実開昭４８−８６００５号
【特許文献４】実開平０４−７７３１８号
【特許文献５】実登３０９１５９４号
【特許文献６】実開昭５８−１２９８１８号
【発明の開示】
【発明が解決しようとする課題】
【０００４】
上記特許文献１において、上記バッグは、使用をする者の好みに応じて、袋本体部の側面部に設けられている紐を締め付けることにより、円形底面を形成して袋の容量を小さくすることができるように形成されている。
【０００５】
上記特許文献２において、上記バッグは、袋本体の大きさを変えるようにしたものであり、袋物を小さくする場合、本体状部を折り下げて中に入れて、紐を引くことにより、管状が閉じて口まわりが閉じることにより、袋本体の大きさを変えることができるように形成されている。
【０００６】
上記特許文献３において、上記バッグは、形と大きさを同時に変えて使うことのできる手提げ袋であり、袋本体に設けられた２本の締め紐を両端から引っ張ることにより、巾着型の小さい手さげ袋にすることができるように形成されている。
【０００７】
したがって、特許文献１〜３にかかる上記バッグは、袋の容量を若干小さくすることができるように形成されているものであり、未だバッグとしての形態を有しているため、形態の変化が乏しく、形態の変化に対する趣向性に欠ける。
また、上記バッグは、完全に折り畳まれて収納状態となるものではないことから、未使用時においては嵩張り、持ち運びに不便であった。
【０００８】
上記特許文献４にかかるバッグにあっては、使用しない時は、胴部を折り畳み底面部を二つ折りにすることにより挟み込み、ファスナーを閉じることにより小型化し、使用する時は、ファスナーを開き胴部を引き出すことにより巾着袋として用いることができるものである。
【０００９】
上記特許文献５にかかるバッグにあっては、使用しないときは、バッグ本体を小さく折り畳んで、底板兼用ケース部材の上にまとめてから、底板兼用ケース部材を二つ折りにしてスライドファスナーを閉めることにより、コンパクトなポーチ形状にすることができるものである。
【００１０】
上記特許文献６にかかるバッグにあっては、使用しないときは、補助収納部内に袋物本体を押し込みつつ、上記補助収納部の壁面を表裏反転することによってセカンドバッグとして用いたりすることができるものである。
【００１１】
したがって、上記特許文献４〜６にかかる上記バッグを小型化する際、及び使用の際にはファスナーを開閉することにより胴部の挟み込み、及び引き出しを行うものであるため、上記バッグの小型化に際しては上記胴部をきちんと折り畳まなければ、軟質素材からなる胴部が上記ファスナーに引っかかるため、バッグの収納に際し不便であった。
【００１２】
また、上記特許文献４にかかるバッグの折り畳み時における形態は、半円形状に形成され、上記特許文献５、６にかかるバッグの折り畳み時における形態は、直方体形状に形成されているため、上記バッグの折り畳み後における形態の変化に対する趣向性に欠け、需要者の購買意欲を惹起するに至らなかった。
【００１３】
そこで本発明が解決しようとする課題は、袋部の横断面方向に沿って袋部を収縮させる収納構造を有し、必要時には、上記収納構造により収縮させることにより袋部を収縮前とは全く別の形態に変形させ、収納物を収納して使用することができ、未使用時にも嵩張らず、容易に持ち運ぶことができ、かつ趣向性に富むバッグを提供することにある。
【課題を解決するための手段】
【００１４】
このような技術的課題解決のため、請求項１記載の発明は、上端部が開口し、側面部と底面部とを有し、折り畳み可能に形成された袋部を備えたバッグであって、下端部には上記袋部の横断面方向に沿って上記袋部を収縮させうる収縮構造が設けられ、必要時には、上記側面部を折り畳んで上記底面部に配置し、上記収縮構造により上記袋部の横断面方向に沿って収縮させることにより袋部を変形させ、収納物を収納して使用しうることを特徴とする。
したがって、請求項１記載の発明にあっては、必要時には、上記側面部を折り畳むことにより、上記底面部に配置させ、上記下端部に設けられた収縮構造により、上記袋部を横断面方向に収縮させることにより、上記袋部を変形させ、上記バッグを折り畳むことができる。
また、上記袋部を変形させた状態においても、少量の収納物を収納して使用することができる。
【００１５】
請求項２記載の発明は、上記収縮構造は、底面部の周縁部に設けられていることを特徴とする。
したがって、請求項２記載の発明にあっては、上記袋部を上記底面部の周縁部において、上記袋部の横断面方向に収縮させることができる。
【００１６】
請求項３記載の発明は、上記収縮構造は、底面部の周縁部に配置された紐と、この紐が内部に挿通される挿通部とにより構成されていることを特徴とする。
したがって、請求項３記載の発明にあっては、上記挿通部に挿通された紐により、上記袋部を横断面方向に沿って収縮させることができる。
【００１７】
請求項４記載の発明は、上記袋部は、側面略長方形状に形成され、上記紐は、上記底面部の幅方向両側面部に沿って配置され、上記紐の端部は、袋部両側方に突出して配置され、上記紐を両側部から引張することにより上記袋部を変形させることを特徴とする。
したがって、請求項４記載の発明にあっては、上記紐の端部を引張することにより、上記袋部を横断面方向に沿って収縮させて、上記袋部を変形させることができる。
【００１８】
請求項５記載の発明は、上記底面部は、底面部本体の周縁部において上記側面部の下端部が下方へ延設されて延設部が形成され、上記延設部に上記挿通部が形成されていることを特徴とする。
したがって、請求項５記載の発明にあっては、上記延設部に形成されている挿通部に挿通されている紐を引張することにより、上記袋部を変形させることができる。
【００１９】
請求項６記載の発明は、上記袋部は上記底面部が外方側になると共に上記側面部が内方側になるように、長さ方向に沿って上記挿通部が幅方向端部に配置されるように細長長方形状に折り畳まれ、上記紐を上記袋部の両側方から引張することにより、上記長方形状に折り畳まれた袋部の上記挿通部側を蛇腹状に収縮させることにより、幅方向反対側を円弧状を有する形状に形成することを特徴とする。
したがって、請求項６記載の発明にあっては、上記側面部を内方側に配置し、上記底面部を外方側に配置することにより、上記挿通部が幅方向端部に配置されるように細長長方形状に折り畳んだ状態で、上記紐を引張することにより、上記袋部の挿通部側を長さ方向に沿って蛇腹状に収縮させ、幅方向反対側を円弧状を有する形状に変形させて折り畳むことができる。
【００２０】
請求項７記載の発明は、上記袋部は上記底面部が外方側になると共に上記側面部が内方側になるように、長さ方向に沿って上記挿通部が幅方向端部に配置されるように細長長方形状に折り畳まれ、上記紐を上記袋部の両側方から引張することにより、上記長方形状に折り畳まれた袋部が側面略円形状に変形して折り畳まれることを特徴とする。
したがって、請求項７記載の発明にあっては、上記側面部を内方側に配置し、上記底面部を外方側に配置することにより、上記挿通部が幅方向端部に配置されるように細長長方形状に折り畳んだ状態で、上記紐を引張することにより、上記袋部を側面略円形状に変形させて折り畳むことができる。
【発明の効果】
【００２１】
請求項１記載のバッグにあっては、必要時には、上記側面部は折り畳んでから、横断面方向に沿って収縮されることにより、折り畳み前におけるバッグの形態とは全く別の形態に変化させ、かつ、上記形態に変形させた状態においても上記側面部が折り畳まれている空隙内において、携帯電話や化粧品などの小物を収納することができる。
従って、未使用時にも嵩張らず容易に持ち運びができ、かつ、趣向性に富むバッグを提供することができる。
【００２２】
請求項２記載のバッグにあっては、上記収縮構造は底面部の周縁部に設けられていることから、上記バッグの底面部の周縁部により、上記バッグの袋部を収縮させることができる。
【００２３】
請求項３記載のバッグにあっては、上記収縮構造は、底面部の周縁部に配置された紐と、この紐が内部に挿通される挿通部とにより構成されていることから、上記紐により上記袋部の横断面方向に沿って収縮させることができる。
【００２４】
したがって、上記バッグは、上記紐により収縮作業を行うことができることから、簡単かつ容易に、上記バッグ全体を小さく収納することができる。
従って、従来のファスナーが設けられているバッグにおける折り畳み作業よりも早く、かつ簡単にバッグの収納作業を行うことができる。
【００２５】
請求項４記載のバッグにあっては、袋部両側方に突出して配置された紐を袋部の両側部から引張することにより上記袋部を変形させることができる。
従って、展開時におけるバッグの形態とは全く異なる形態に形成することができる。
【００２６】
請求項５記載のバッグにあっては、上記底面部は、底面部本体の周縁部において上記側面部の下端部が下方へ延設されて延設部が形成されていることから、上記延設部に形成された挿通部に挿通されている各紐を引張させることによって、上記袋部を変形させて折り畳むことができる。
【００２７】
請求項６記載のバッグにあっては、上記側面部を内方側に配置し、上記底面部を外方側に配置することにより、上記挿通部が幅方向端部に配置されるように細長長方形状に折り畳んだ状態で、上記紐を引張することにより、上記袋部の挿通部側を長さ方向に沿って蛇腹状に収縮させ、幅方向反対側を円弧状を有する形状に変形させて折り畳むことができる。
このことにより、必要時には、上記収納構造により上記袋部を収縮させることにより袋部を収縮前とは全く別の形態に変形させ、収納物を収納して使用することができる。
【００２８】
したがって、上記バッグは、折り畳み前の状態と比較して、全く異なる形状に変形させることができることから、上記バッグの変形に意外性があり、バッグの折り畳み後における形態の変化に対する趣向性を向上させることができることから、需要者の購買意欲を惹起することができる。
また、上記小物類を収納した後においては、上記バッグは、上記紐を引張することにより、上記挿通部が蛇腹状に折り畳まれることから、上記小物類は、上記バッグから飛び出たりせず、安心して携帯することができる。
【００２９】
また、上記バッグは、上記操作により、容易かつ簡単にバッグ全体を小さく収納して折り畳むことができる。
また、折り畳み前の状態においては、比較的大容量の収納物を収納することができるバッグとして利用することができ、上記バッグの変形後においては、大幅に収納容積を減少させることができ、携帯に便利な形状にすることができる。
【００３０】
請求項７記載のバッグにあっては、上記側面部を内方側に配置し、上記底面部を外方側に配置することにより、上記挿通部が幅方向端部に配置されるように細長長方形状に折り畳んだ状態で、上記紐を引張することにより、上記袋部を側面略円形状に変形させて折り畳むことができる。
【００３１】
このことにより、必要時には、上記収納構造により上記袋部を収縮させることにより袋部を収縮前とは全く別の形態に変形させ、収納物を収納して使用することができる。
したがって、上記バッグは、折り畳み前の状態と比較して、全く異なる形状に変形させることができることから、上記バッグの変形に意外性があり、バッグの折り畳み後における形態の変化に対する趣向性を向上させることができることから、需要者の購買意欲を惹起することができる。
【００３２】
また、折り畳み前の状態においては、比較的大容量の収納物を収納することができるバッグとして利用することができ、上記バッグの変形後においては、大幅に収納容積を減少させることができ、携帯に便利な形状にすることができる。
【発明を実施するための最良の形態】
【００３３】
以下、添付図面に示す実施の形態に基づき、本発明にかかるバッグを説明する。
【００３４】
本実施の形態に係るバッグ１０は、図１に示すように、上端部１１に収納物を出し入れ可能に形成された開口部３３が設けられ、側面部２９と底面部１３とを有し、折り畳み可能に形成された袋部１４を備えたバッグ１０であって、下端部１５には上記袋部１４の横断面方向に沿って上記袋部１４を収縮させうる収縮構造１６が設けられ、必要時には、図２、図３、図４、図５に示すように、上記側面部２９を折り畳んで上記底面部１３に配置し、図６に示すように、上記収縮構造１６により上記袋部１４の横断面方向に沿って収縮させることにより袋部１４を変形させ、図７に示すように、収納物を収納して使用しうる。
【００３５】
また、図１に示すように、上記収縮構造１６は、底面部１３の周縁部１７に設けられている。また、上記収縮構造１６は、底面部１３の周縁部１７に配置された紐１８ａ，１８ｂと、この紐１８ａ，１８ｂが内部に挿通される挿通部２１と，により構成されている。
【００３６】
図１、図２に示すように、上記袋部１４は側面略長方形状に形成され、上記紐１８ａ，１８ｂは、上記底面部１３の幅方向両側面部に沿って、配置され、上記紐の端部１９ａ，１９ｂは、袋部１４の両側方に突出して配置され、上記紐１８ａ，１８ｂを両側部２０ａ，２０ｂから引張することにより上記袋部１４を変形する。
【００３７】
図１に示すように、上記底面部１３は、底面部本体２２の周縁部２３において上記側面部２９の下端部２４が下方へ延設されて延設部２５ａ，２５ｂが形成され、上記延設部２５ａ，２５ｂに上記挿通部２１が形成されている。
【００３８】
図５に示すように、上記袋部１４は、上記底面部１３が外方側になると共に、上記側面部２９が内方側になるように、長さ方向に沿って上記挿通部２１が幅方向端部に配置されるように細長長方形状に折り畳まれ、図６に示すように、上記紐１８ａ，１８ｂを上記袋部１４の両側方から引張することにより、上記長方形状に折り畳まれた袋部１４の上記挿通部２１側を蛇腹状に収縮させることにより、図７に示すように、幅方向反対側は円弧状を有する形状に形成されて折り畳まれている。
【００３９】
また、図５に示すように、上記袋部１４は、上記底面部１３が外方側になると共に上記側面部２９が内方側になるように、長さ方向に沿って上記挿通部２１が幅方向端部に配置されるように細長長方形状に折り畳まれ、図６に示すように、上記紐１８ａ，１８ｂを上記袋部１４の両側方から引張することにより、図７に示すように、上記長方形状に折り畳まれた袋部１４が側面略円形状に変形して折り畳まれている。
【実施例】
【００４０】
図１に示すように、本実施例にかかるバッグ１０は、上端部１１が開口し、側面部２９と底面部１３とを有し、布地など薄手の材料により折り畳み可能に形成された袋部１４を備えたバッグ１０であって、必要時にあっては、図２、図３、図４に示すように、上記側面部２９を折り畳んで上記底面部１３に配置し、図６に示すように、上記袋部１４に設けられた収縮構造１６により上記袋部１４の横断面方向に沿って収縮させることにより袋部１４を変形させ、図７に示すように、収納物を収納して使用することができる折り畳みバッグとして使用することができる。
【００４１】
図１、図２に示すように、上記袋部１４は布材により形成され、側面略長方形状に形成され、上記袋部１４を構成する側面部２９は、平面長方形状に形成された２枚の側面構成材１２ａ，１２ｂの長さ方向に沿って縫合されて、上記側面部２９は側面略長方形状に形成されている。
【００４２】
図１に示すように、上記底面部１３は、上記側面部２９の下端部２４において、上記各側面構成材１２ａ，１２ｂの幅方向に沿って設けられ、平面長方形状に形成された底面部本体２２の周縁部２３において、上記側面構成材１２ａ，１２ｂの下端部２４が下方へ延設されて延設部２５ａ，２５ｂが形成されている。
【００４３】
図１、図２に示すように、上記底面部本体２２は、幅方向略中央部３０において、長さ方向に沿って上記袋部１４の内方に凸となると共に幅方向略半分となるように折り畳まれ、上記底面部本体２２の長さ方向両端部は、上記幅方向略半分に折り畳まれた状態において、上記側面構成材１２ａ，１２ｂの各幅方向両端部２７ａ，２７ｂに沿って設けられている。
【００４４】
図１に示すように、上記収納構造１６は、底面部１３の周縁部１７に配置された２本の紐１８ａ，１８ｂと、上記紐１８ａ，１８ｂが内部に挿通される挿通部２１と、により構成されている。
【００４５】
図１に示すように、上記挿通部２１は、上記底面部本体２２の幅方向両端部において長さ方向に沿って設けられ、上記側面部２９の下端部２４が下方へ延設されて形成されている延設部２５ａ，２５ｂにおいて、上記２本の紐１８ａ，１８ｂが内部に挿通されうるように形成されている。
上記挿通部２１は、上記底面部本体２２の周縁部２３において、上記側面構成材１２ａ，１２ｂの各幅方向に沿って所定の間隔をおいて内方に折り返されて、上記２本の紐１８ａ，１８ｂが挿通できるように管状に形成されている。
【００４６】
図１に示すように、上記２本の紐１８ａ，１８ｂのうち一の紐１８ａは、上記挿通部２１が設けられている各延設部２５ａ，２５ｂ内において、上記底面部１３の周縁部１７に沿って輪状に配置され、その端部１９ａにおいて互いに結束され、上記端部１９ａは、上記袋部１４の側部２０ａに設けられている孔部３１ａから突出して配置され、同様に、上記２本の紐１８ａ，１８ｂのうち他の紐１８ｂは、上記挿通部２１が設けられている各延設部２５ａ，２５ｂ内において、上記底面部１３の周縁部１７に沿って輪状に配置され、その端部１９ｂにおいて互いに結束され、上記端部１９ｂは、上記袋部１４の側部２０ｂに設けられている孔部３１ｂから突出して配置されている。
上記各両側部２０ａ，２０ｂに設けられている孔部３１ａ，３１ｂから上記各紐１８ａ，１８ｂの端部１９ａ，１９ｂを引張することにより、図６に示すように、上記挿通部２１を蛇腹状に折り畳んで、上記袋部１４を横断面方向に沿って収縮させることができる。
【００４７】
その結果、図７に示すように、上述のように、各紐１８ａ，１８ｂを引張するだけで、ワンタッチ操作で上記バッグ１０は側面略円形状に変形されて折り畳むことができ、図１に示すように、折り畳み前の状態においては、比較的大容量の収納物を収納することができるバッグ１０として利用することができ、上記バッグ１０の変形後においては、図７に示すように、内部に小物を収納できる状態で、大幅に収納容積を減少させることができ、携帯に便利な形状にすることができる。
【００４８】
また、上記バッグ１０は、折り畳み前の状態と比較して、まったく異なる形状に変形させることができることから、上記バッグ１０の変形に意外性があり、バッグの折り畳み後における形態の変化に対する趣向性を向上させることができることから、需要者の購買意欲を惹起することができる。
【００４９】
また、上記側面略円形状に変形されて折り畳まれている状態においても、上記側面部２９が折り畳まれている空隙内において、携帯電話や化粧品などの小物を収納することができる。
上記小物類を収納した後においては、上記バッグ１０は、上記紐１８ａ，１８ｂを引張することにより、上記挿通部２１が蛇腹状に折り畳まれることから、上記小物類は、上記バッグ１０から飛び出たりせず、安心して携帯することができる。
【００５０】
図１に示すように、上記バッグの上端部１１の周縁部３２には、上記バッグ１０の周縁部３２を補強しうるように形成された補強帯部３３が形成されている。
上記補強帯部３３は、上記側面構成材１２ａ，１２ｂの上端部において、上記側面構成材１２ａ，１２ｂの各幅方向に沿って所定の間隔をおいて内方に折り返され、幅方向に沿って縫合されて形成されている。
【００５１】
図１に示すように、上記バッグ１０の上端部１１には、上記バッグの持ち運び時に把持しうるように形成された、２基の取手２６ａ，２６ｂが互いに相対して設けられている。
上記各取手２６ａ，２６ｂは、逆Ｕ字型に形成され、上記バッグ１０の上端部１１において、上記各取手２６ａ，２６ｂの各端部が上記補強帯部３３に取り付けられている。
したがって、持ち運び時においては、上記取手２６ａ，２６ｂを把持して上記バッグを携帯したり、上記逆Ｕ字型に形成された取手２６ａ，２６ｂ内に肩を入れることにより、ショルダーバッグとして使用することができる。
【００５２】
以下、添付図面に示す実施例に基づき、本発明に係るバッグ１０の作用について詳細に説明する。
【００５３】
本発明にかかるバッグ１０は、買い物等において携帯して使用される折り畳みバッグとして用いられ、折り畳み前においては、図１に示すように、上記バッグ１０は、上記側面部２９と、底面部１３とにより構成された袋部１４に収納物を収納しうるように形成された携帯用バッグとして使用することができる。
この場合は、上記バッグ１０の上端部１１に設けられた開口部３３を介して収納物の出し入れを行うことができる。
【００５４】
また、上記バッグ１０の携帯時においては、上記バッグ１０の上端部１１に設けられた逆Ｕ字型形状に形成されている取手２６ａ，２６ｂを把持することにより、上記バッグ１０を携帯することができる。
また、上記取手２６ａ，２６ｂ内に肩を入れることにより、上記バッグ１０をショルダーバッグとして使用することができる。
【００５５】
折り畳み時においては、図２に示すように、上記側面構成材１２ａ，１２ｂ同士を重ね合わせて、上記袋部１４を構成する上記側面部２９を側面略長方形状にして、図３に示すように上記側面部２９を長さ方向略半分の位置において、幅方向に沿って折り畳み、続いて図４に示すように、更に長さ方向略半分の位置において、幅方向に沿って折り畳むことにより、上記側面部２９は長さ方向略４分の１の長さに折り畳まれて底面部１３上へ配置される。
【００５６】
次に、図４における折り畳み状態において、上記底面部１３に設けられている各延設部２５ａ，２５ｂを開口して、上記底面部本体２２を裏返すことにより、上記底面部１３を外方側へ配置して、上記側面部２９を内方側に配置させ、上記底面部１３を構成する底面部本体２２により、上記側面部２９を包んで、図５に示すように、上記袋部１４が側面細長長方形状に折り畳まれる。
【００５７】
図５における折り畳み状態において、上記延設部２５ａ，２５ｂに挿通されている２本の紐１８ａ，１８ｂの各端部１９ａ，１９ｂを、袋部１４の両側部２０ａ，２０ｂに設けられている孔部３１ａ，３１ｂから互いに反対方向へ引張することにより、図６に示すように、上記長方形状に折り畳まれている袋部１４の挿通部２１側を蛇腹状に収縮させ、図７に示すように、上記長方形状に折り畳まれている袋部１４の幅方向反対側を円弧状を有する形状に変形させ、上記袋部１４をワンタッチで側面略円形状に変形させて折り畳むことができる。
【００５８】
したがって、本実施例におけるバッグ１０は、上記操作により、容易かつ簡単にバッグ全体を小さく収納して折り畳むことができる。
また、上記袋部１４が側面略円形状に変形され、上記バッグ１０全体が折り畳まれている状態においても、上記側面部２９が折り畳まれている空隙内において、携帯電話や化粧品などの小物を収納することができる。
上記小物類を収納した後においては、上記バッグ１０は、上記紐１８ａ，１８ｂを引張することにより、上記挿通部２１が蛇腹状に折り畳まれることから、上記小物類は、上記バッグ１０から飛び出たりせず、安心して携帯することができる。
【００５９】
少量の収納物を収納する場合にあっては、上記のように折り畳んだ状態で上記バッグ１０を携帯することができ、上記袋部１４がいわゆる略ドーナツ型に形成されていることから、洗練されたデザインを有する装飾品として携帯して使用することができる。
【００６０】
また、大きな収納物を収納する際にあっては、図７に示す状態において、上記挿通部２１の両側部２０ａ，２０ｂにおいて指を挿入し、上記袋部１４を幅方向に引張することによって、図６に示すように、蛇腹状に折り畳まれた上記挿入部２１が次第に直線状となり、図５に示すように、上記袋部１４を側面略細長長方形状に復帰させることができる。
【００６１】
図５に示す状態において、上記底面部本体２２により包まれている上記側面部２９を外方側に取出し、上記底面部１３を内方側に配置することにより、図１に示すように、大きな収納容量を有するバッグ１０として使用することができる。
したがって、必要時にあっては、簡単に大きな容量を有するバッグに変形して使用することができる。
【００６２】
また、図８に示すように、上記側面部２９を折り畳まずに、上記挿通部２１に設けられている各孔部３１ａ，３１ｂから紐１８ａ，１８ｂの各端部１９ａ，１９ｂを引張して、上記挿通部２１を蛇腹状に短縮させることにより、上記底面部１３の形状を絞り込み、上記袋部１４の収容容量を小さくしたバッグ１０として使用することができる。
上記底面部１３の形状を絞り込んだ状態においては、上記底面部１３は、上記側面構成材１２ａ，１２ｂにより補強されていることから、重い重量の収納物を収納した場合であっても、上記底面部１３を補強して収納することができるバッグ１０として使用することができる。
【００６３】
また、上記延設部２５ａ，２５ｂをデニム地や、革素材など、比較的剛性を有する素材により形成することにより、図１に示すように、上記延設部２５ａ，２５ｂにより、上記バッグを立設して使用することができる。
【産業上の利用可能性】
【００６４】
本件発明は、折り畳み可能に形成された袋部を備えたバッグとして使用することができると共に、必要特においては、袋部の横断面方向に沿って設けられた収納構造により収縮させることにより袋部を変形させ、収納物を収納して使用することができるバッグに適用できるものである。
【図面の簡単な説明】
【００６５】
【図１】図１は、本発明に係るバッグの実施例を示し、使用時における状態を示す全体斜視図である。
【図２】図２は、本発明に係るバッグの実施例を示し、使用時における状態を示す全体平面図である。
【図３】図３は、本発明に係るバッグの実施例を示し、折り畳み時における状態を示す平面図であり、袋部を長さ方向半分に折り畳んでいる状態を示す平面図である。
【図４】図４は、本発明に係るバッグの実施例を示し、図３における袋部を更に長さ方向半分に折り畳んでいる状態を示す平面図である。
【図５】図５は、本発明に係るバッグの実施例を示し、底面部が外方側になると共に、側面部が内方側になるように、長さ方向に沿って挿通部が幅方向端部に配置されている状態を示す斜視図である。
【図６】図６は、本発明に係るバッグの実施例を示し、図５におけるバッグにおいて、各紐の端部を引張した状態を示す斜視図である。
【図７】図７は、本発明に係るバッグの実施例を示し、図６におけるバッグにおいて、各紐の端部を更に引張して、側面略円形状に変形して折り畳まれた状態を示す平面図である。
【図８】図８は、本発明に係るバッグの実施例を示し、上記側面部を折り畳まずに、上記挿通部に設けられている各紐の端部を引張することにより、上記挿通部を蛇腹状に収縮させて、上記底面部の形状を絞り込み、上記袋部の収納容量を小さくした状態を示す下方斜視図である。
【符号の説明】
【００６６】
１０    バッグ
１１    上端部
１２ａ    側面構成材
１２ｂ    側面構成材
１３    底面部
１４    袋部
１５    下端部（袋部）
１６    収縮構造
１７    周縁部（底面部）
１８ａ    紐
１８ｂ    紐
１９ａ    端部
１９ｂ    端部
２０ａ    側部
２０ｂ    側部
２１    挿通部
２２    底面部本体
２３    周縁部（底面部本体）
２４    下端部（側面部）
２５ａ    延設部
２５ｂ    延設部
２６ａ    取手
２６ｂ    取手
２７ａ    幅方向両端部（側面構成材）
２７ｂ    幅方向両端部（側面構成材）
２９    側面部
３０    幅方向略中央部（底面部本体）
３１ａ    孔部
３１ｂ    孔部
３２    周縁部（上端部）
３３    補強帯部
３４    開口部（上端部）
【図１】
2007089999.tif 000003
【図２】
2007089999.tif 000004
【図３】
2007089999.tif 000005
【図４】
2007089999.tif 000006
【図５】
2007089999.tif 000007
【図６】
2007089999.tif 000008
【図７】
2007089999.tif 000009
【図８】
2007089999.tif 000010